(57)【特許請求の範囲】
【請求項１】
フレームに平行に支持されるとともに、モーターにより回転される回転軸間にスクリーンを張設し、そのスクリーンに対して散水するための散水装置を設けた散水スクリーン装置において、
前記スクリーンを帯状体により構成するとともに、その帯状体の両端をファスナによって開放可能に連結して、スクリーンを全体として環状に構成するとともに、
前記散水装置は、前記スクリーン内に配置されており、前記スクリーンに対して裏面から散水を行なうことを特徴とする散水スクリーン装置。
【請求項２】
前記スクリーンを垂直方向に張設するとともに、
前記フレームの前記散水装置よりも下方に、前記スクリーンの周回にともなってスクリーンの表面をその全幅にわたって清掃するための清掃手段を設けたことを特徴とする請求項１に記載の散水スクリーン装置。
【請求項３】
前記ファスナをスライドファスナにより構成したことを特徴とする請求項１または２に記載の散水スクリーン装置。
【発明の詳細な説明】
【技術分野】
【０００１】
この発明は、屋外や屋内においてスクリーンに対して散水を行い、水の蒸発にともなう気化熱や輻射冷熱により屋外や屋内の空間を冷却するようにした散水スクリーン装置に関するものである。
【背景技術】
【０００２】
従来、屋外の空間を冷却するための技術としては、例えば、水を微細な霧状にして空中に噴霧するミスト散布が知られている。また、多孔質の舗装ブロック、その下部の砂層あるいは路盤等に水を保持させ、その水を舗装ブロック材料の毛細管作用により、舗装ブロックの表面にしみ出させて、打ち水効果を得るようにした舗装路も知られている。
【０００３】
しかしながら、ミスト散布では、風の影響を受けやすく、風によってミストが拡散して冷却効果が著しく低下する。また、打ち水効果を狙った舗装路においては、舗装ブロックの表面にしみ出した水が、その気化熱により専ら熱容量の大きな舗装ブロックの温度を低減させるのみある。従って、前記の両従来技術ともに、屋外の空間を効果的に冷却することはできなかった。
【０００４】
これに対し、例えば特許文献１及び特許文献２に開示されるような冷却用のカーテンまたは網状遮蔽体も、従来から提案されている。特許文献１に記載の従来構成においては、屋外に吊り下げたカーテンの上部に水が供給されて、カーテン全体が湿潤される。そして、カーテン全体から水が蒸発されて、その気化熱により周囲空気が冷やされるようになっている。
【０００５】
また、特許文献２に記載の従来構成においては、ブラインドやシャッターとして用いられる網状遮蔽体の上部に、水が供給されることにより、網状遮蔽体の全体が湿潤される。そして、網状遮蔽体の全体から水が蒸発されて、その気化熱により周囲空気が冷やされるようになっている。
【先行技術文献】
【特許文献】
【０００６】
【特許文献１】実用新案登録第３０３４８２０号公報
【特許文献２】特開２００８−２５１４２号公報
【発明の概要】
【発明が解決しようとする課題】
【０００７】
前記のような構成において、カーテンや網状遮蔽体の表面に何らかの表示を施して、カーテンや網状遮蔽体をディスプレー機能が備えられたスクリーンとして用いることが考えられる。このような場合、散水ノズルを隠蔽したほうが外観上好ましい。従って、スクリーンを環状にすれば、その内部に散水ノズルを隠蔽できて好ましい。しかしながら、このように構成した場合は、装置に対するスクリーンの着脱において装置の分解等が必要になって、きわめて煩雑である。
【０００８】
この発明は、このような従来の技術に存在する問題点に着目してなされたものである。この発明の目的は、スクリーンの着脱が容易になって、メンテナンス等を容易に行うことができる散水スクリーン装置を提供することにある。
【課題を解決するための手段】
【０００９】
上記の目的を達成するために、この発明では、フレームに平行に支持されるとともに、モーターにより回転される回転軸間にスクリーンを張設し、そのスクリーンに対して散水するための散水装置を設けた散水スクリーン装置において、前記スクリーンを帯状体により構成するとともに、その帯状体の両端をファスナによって開放可能に連結して、スクリーンを全体として環状に構成するとともに、前記散水装置は、前記スクリーン内に配置さ
れており、前記スクリーンに対して裏面から散水を行なうことを特徴としている。
【００１０】
従って、この発明においては、モーターによって回転軸が回転されることにより、回転軸間に張設されたスクリーンが周回移動される。それとともに、散水装置によりスクリーンに対して散水が行われて、スクリーンの全面が湿潤される。そして、スクリーンの周回にともない、スクリーンに接触する空気により水が気化されて、空気から気化熱が奪われる。また、これとともに、周囲に対して輻射冷熱が与えられる。よって、広い面積のスクリーンの全面に水を適切に保持させることができて、周囲を効果的に冷却できる。
【００１１】
しかも、この発明においては、環状のスクリーンが周回される。このため、スクリーンの表面に表示を施した場合、その表示を移動させることができて、高いディスプレー効果を得ることができる。しかも、スクリーンが環状に形成されているため、その内部に散水ノズル等を配置すれば、その散水ノズル等を隠蔽でき、良好な外観を得ることができる。加えて、スクリーンは帯状体の両端をファスナによって連結することにより全体として環状をなすように構成されている。このため、スクリーンを回転軸間に張設状態で取り付ける場合、あるいはスクリーンを交換等のために回転軸間から取り外す場合には、ファスナを開放させることにより、スクリーンを１枚の帯状体として取り扱うことができる。よって、スクリーンの着脱操作を容易に行うことができる。メンテナンスを行う場合、その作業を楽に行うことができる。
【００１２】
また、前記の構成において、前記ファスナをスライドファスナにより構成するとよい。このように構成した場合には、市販のスライドファスナを使用して、スクリーンを安価に製造することができる。
【００１３】
さらに、前記の構成において、前記スクリーンを垂直方向に張設するとともに、前記フレームの前記散水装置よりも下方に、前記スクリーンの周回にともなってスクリーンの表面をその全幅にわたって清掃するための清掃手段を設けるとよい。このように構成した場合には、スクリーンの周回移動時に、清掃手段によりスクリーンの表面を清掃することができるとともに、ファスナを清掃することもできる。よって、スクリーンの着脱時には、ファスナの開閉操作を容易に行うことができる。
【発明の効果】
【００１４】
以上のように、この発明によれば、スクリーンの着脱を容易に行ってメンテナンス等を楽に行うことができるという効果を発揮する。
【図面の簡単な説明】
【００１５】
【図１】第１実施形態の散水スクリーン装置を示す斜視図。
【図２】図１の散水スクリーン装置の要部縦断面図。
【図３】図２の３−３線における部分拡大断面図。
【図４】図２の４−４線における部分拡大断面図。
【図５】図１の散水スクリーン装置におけるスクリーンを拡大して示す斜視図。
【図６】図５のスクリーンを展開して示す要部斜視図。
【図７】（ａ）は第２実施形態のスクリーンを展開状態で示す要部斜視図、（ｂ）はスクリーンの簡略側面図。
【図８】第３実施形態の散水スクリーン装置を示す要部斜視図。
【発明を実施するための形態】
【００１６】
（第１実施形態）
以下に、この発明を具体化した散水スクリーン装置の第１実施形態を、図１〜図７に従って説明する。はじめに、この実施形態の散水スクリーン装置の基本的構成を図１〜図４に基づいて説明する。
【００１７】
図１及び図２に示すように、この実施形態の散水スクリーン装置は、箱状の支持台２８と、その支持台２８の上面に設置されたフレーム２１を備えている。前記フレーム２１は、左右一対の上下に平行に延びる支柱２２，２３と、両支柱２２，２３の上端部間に架設された上枠部２４と、両支柱２２，２３の下端部間に架設された下枠部２５とにより、全体として四角枠状をなすように構成されている。なお、ここで、左右は、便宜上図面における左右を指すものであって、限定されるものではない。
【００１８】
図４に示すように、前記両支柱２２，２３は断面Ｃ型状のステンレス鋼材により構成され、その開口部を外側にした状態で配置されている。支柱２２，２３の外側開口部には、カバー２６が複数のネジ２７により着脱可能に取り付けられている。図３に示すように、上枠部２４は断面Ｃ型状のステンレス鋼材により構成され、その開口部を下側にした状態で配置されている。下枠部２５は断面Ｃ型状のステンレス鋼材により構成され、その開口部を上側にした状態で配置されている。そして、この下枠部２５により、後述する散水装置４４から散水された水を受けるための樋部材が構成されている。
【００１９】
前記両支柱２２，２３の下端部には、取付板部２２ａ，２３ａが溶接固定されている。そして、図３に示すように、この支柱２２，２３の取付板部２２ａ，２３ａが複数のボルト２９により支持台２８の上面に取り付けられることにより、フレーム２１の下部と支持台２８とが着脱可能に固定されている。
【００２０】
前記上枠部２４内において両支柱２２，２３の上端部間には、円筒状の上部回転軸３０が回転可能に、かつ水平面内に位置するように支持されている。下枠部２５内において両支柱２２，２３の下端部間には、円筒状の下部回転軸３１が回転可能に、かつ上部回転軸３０と平行に延びるように支持されている。両回転軸３０，３１間には、環状のスクリーン３２が張設されている。
【００２１】
前記左側支柱２２の上端内側面には、モーター３３がそのほぼ全体を上部回転軸３０の内部に収容した状態で支持されている。そして、このモーター３３によって上部回転軸３０が回転されることにより、スクリーン３２が両回転軸３０，３１間で周回される。両回転軸３０，３１間において両支柱２２，２３の内側面には、それぞれ一対の断面Ｌ字状の案内板５４が上下方向へ平行に延びるように固定されている。そして、これらの案内板５４がスクリーン３２の左右両端縁の裏面側（内面側）に係合することにより、スクリーン３２の周回移動が案内される。スクリーン３２は、両回転軸３０，３１の両端フランジ部５５によって左右の幅端部が位置決めされ、スクリーン３２の左右位置が規制される。
【００２２】
前記左側支柱２２の外側面には、操作パネル３４が設けられている。この操作パネル３４上には、装置の運転を自動と手動とに切り換えるための切換つまみ３５、運転の開始ボタン３６、運転の停止ボタン３７、スクリーン３２を正転させるための正転ボタン３８、スクリーン３２を逆転させるための逆転ボタン３９、装置の運転を非常停止させるための非常停止ボタン４０が設けられている。
【００２３】
図４に示すように、前記左側支柱２２の内部には、モーター３３及び操作パネル３４にそれぞれ対する駆動電力供給用及び制御用の２ラインの給電線４１が収容されている。支持台２８の左側面には前記両給電線４１のコネクタ４２が設けられている。そして、この両コネクタ４２にそれぞれ外部給電線４３が接続されることにより、給電線４１を介してモーター３３及び操作パネル３４に給電されるようになっている。
【００２４】
前記スクリーン３２の周回域内において、両支柱２２，２３間には散水装置４４が支持されている。この散水装置４４は、両支柱２２，２３間に架設されたステンレス鋼材よりなる四角パイプ状の導水管４５と、その導水管４５の外周面に長さ方向において所定間隔おきに突設された複数のミスト噴射ノズル４６とにより構成されている。右側支柱２３の内部には、散水装置４４の導水管４５に水を供給するための給水ホース４７が収容されている。前記支持台２８の右側面には接続口４８が設けられ、給水ホース４７の下端部が支持台２８内において接続口４８に接続されている。また、この接続口４８には、図示しない一般上水道から延びる外部給水ホース４９が接続される。
【００２５】
そして、前記右側支柱２３内において給水ホース４７に接続された図示しない電磁バルブが開放されることにより、散水装置４４の導水管４５内に水が供給される。このため、各ミスト噴射ノズル４６からスクリーン３２の前面の裏面側に対して水がミスト状に散布される。そして、この水が気化されることにより、空気から気化熱が奪われて、周囲の空気が冷却される。また、スクリーン３２の表面が冷熱輻射面になり、周囲に対して輻射冷熱効果が与えられる。
【００２６】
前記フレーム２１の下枠部２５の左端下部には、排水部としての排水ホース５０がジョイント５１を介して接続されている。前記支持台２８の左側面には接続口５２が設けられ、排水ホース５０の下端部が支持台２８内において接続口５２に接続されている。また、この接続口５２には、図示しない排水路等に延びる排水延長ホース５３が接続される。そして、前記散水装置４４からスクリーン３２に散水されて、そのスクリーン３２の表面あるいは裏面に沿って流下する水が、樋部材としての下枠部２５内に回収された後、排水ホース５０を介して排出される。
【００２７】
次に、前記スクリーン３２の構成について詳細に説明する。
図５及び図６に示すように、スクリーン３２は、塩化ビニール等の耐水性に優れた合成樹脂製の経糸と緯糸とからなる１枚の帯状体６１により構成されている。この帯状体６１の経糸と緯糸との間には、０．３〜３ｍｍ程度の細隙が形成されている。帯状体６１の長さ方向（周回方向）の両端縁間には、ファスナ６２が設けられている。そして、このファスナ６２によって帯状体６１の長さ方向の両端縁が連結され、スクリーン３２が全体として環状をなすように構成されている。
【００２８】
図５及び図６に示すように、前記ファスナ６２はスライドファスナ６２Ａにより構成されている。このスライドファスナ６２Ａは、帯状体６１の一端縁に配列された多数の務歯６３と、その務歯６３と係脱可能に対応するように、帯状体６１の他端縁に配列された多数の務歯６４と、両務歯６３，６４を結合・分離させるためのスライダ６５と、一端部において連結分離可能なリテーナ６８を備えている。スライドファスナ６２Ａの務歯６３，６４，スライダ６５及びリテーナ６８は、合成樹脂により形成されている。
【００２９】
一方、図３に示すように、前記フレーム２１における下枠部２５の開口両側縁には、一対の清掃手段としての清掃ブラシ６６がブラシホルダ６７を介して取り付けられている。各清掃ブラシ６６は、スクリーン３２の表面全体に接触するように、スクリーン３２の幅方向の全長にわたって延長されている。そして、モーター３３によりスクリーン３２が両回転軸３０，３１間で周回移動されるとき、各清掃ブラシ６６によりスクリーン３２の表面がその全幅にわたって清掃される。この場合、スクリーン３２上のスライドファスナ６２Ａも、各清掃ブラシ６６により全長にわたって清掃される。
【００３０】
次に、前記のように構成された散水スクリーン装置の動作を説明する。
さて、この散水スクリーン装置が屋外等に設置された状態で、操作パネル３４上の運転開始ボタン３６がオンされると、モーター３３により上部回転軸３０が回転されて、両回転軸３０，３１間に張設されたスクリーン３２が周回移動される。それとともに、散水装置４４のミスト噴射ノズル４６からスクリーン３２の裏面側に水がミスト状に散布されて、スクリーン３２の全面が湿潤される。そして、スクリーン３２の周回にともない、スクリーン３２に接触する空気によって水が気化されて、その空気から気化熱が奪われることにより、空気が冷却される。それとともに、スクリーン３２の表面が冷熱輻射面になり、スクリーン３２からその周囲に対して輻射冷熱が与えられる。
【００３１】
この場合、前記散水装置４４のミスト噴射ノズル４６からスクリーン３２に散布されて、そのスクリーン３２の面に沿って流下する水は、樋部材としての下枠部２５内に回収された後、排水ホース５０を介して外部に排出される。よって、よって、スクリーン３２から流下する水が散水スクリーン装置の設置個所の周囲に溜まったり、広まったりして、歩行等に支障をきたすことを回避できる。
【００３２】
また、前記スクリーン３２の交換等において、スクリーン３２を両回転軸３０，３１間に対して脱着する場合には、スライドファスナ６２Ａを開放方向に移動させると、ファスナ６２が開かれ、そしてリテーナ６８を分離させれば、図６に示すように、スクリーン３２が１枚の帯状体６１となる。このため、スクリーン３２が環状に構成されていても、回転軸３０，３１をフレーム２１の支柱２２，２３から取り外すという面倒な作業を行うことなく、スクリーン３２を１枚の帯状体６１として取り扱って、両回転軸３０，３１に対して容易に脱着することができる。これとは逆に、スクリーン３２が環状で、１枚の帯状体にできない場合には、スクリーン３２の交換等のメンテナンスに際して、スクリーン３２を取り外したりする場合、両回転軸３０，３１を左右の支柱２２，２３から外したりする必要があり、きわめて煩雑である。
【００３３】
従って、前記スクリーン３２の周回域内に配置された散水装置４４や回転軸３０，３１等の機構部のメンテナンスを行う場合にも、スライドファスナ６２Ａを開放移動させるとともに、リテーナ６８を分離させることにより、その機構部の周辺が簡単に露出される。よって、散水装置４４や回転軸３０，３１等の機構部のメンテナンスを、スクリーン３２に邪魔されることなく容易に行うことができる。
【００３４】
従って、この実施形態においては、以下の効果を得ることができる。
（１）  この実施形態においては、モーター３３による回転軸３０の回転にともなって、スクリーン３２が回転軸３０，３１間で周回移動されながら、散水装置４４からスクリーン３２に対して散水されるようになっている。このため、広い面積のスクリーン３２に対して、その全面に水を適切に供給させることができる。よって、スクリーン３２の全面から水を効率良く気化させることができて、空気から気化熱を有効に奪うとともに、周囲に輻射冷熱を供給することが可能になり、高い冷却能力を得ることができる。
【００３５】
（２）  この実施形態においては、スクリーン３２を環状に構成している。このため、スクリーン３２の前後を表示面とすることができ、そのスクリーン３２を周回移動させることにより、前後の表示を入れ換えて表示効果を高めることができる。
【００３６】
（３）  この実施形態においては、スクリーン３２を環状に構成し、その内部に散水装置４４等を配置した、このため、その散水装置４４が外部に露呈せず、散水スクリーン装置としての外観を向上できる。
【００３７】
（４）  この実施形態においては、スクリーン３２が帯状体６１により構成されるとともに、その帯状体６１の両端をファスナ６２によって連結することにより全体として環状をなすように構成されている。このため、スクリーン３２を交換時等において回転軸３０，３１に対して脱着する場合には、ファスナ６２を開放させることにより、スクリーンを１枚の帯状体６１として取り扱うことができる。よって、スクリーン３２が環状に構成されていても、その脱着作業を容易に行うことができる。しかも、スクリーン３２の周回域内に配置された回転軸３０，３１や散水装置４４等の機構部のメンテナンスを行う場合にも、ファスナ６２を開放させることにより、その機構部の周辺が露出されて、メンテナンスを容易に行うことができる。
【００３８】
（５）  この実施形態においては、ファスナ６２がスライドファスナ６２Ａにより構成されている。このため、市販のスライドファスナを使用することができて、スクリーン３２を安価に製造することができる。
【００３９】
（６）  この実施形態においては、フレーム２１の下枠部２５に、スクリーン３２の周回にともなってスクリーン３２の表面をその全幅にわたって清掃するための清掃ブラシ６６が設けられている。このため、スクリーン３２の周回移動時に、清掃ブラシ６６によりスクリーン３２の表面を清掃することができる同時に、ファスナ６２を清掃することもできる。よって、ファスナ６２がスライドファスナ６２Ａにより構成されている場合、ファスナ６２の務歯６３，６４間の隙間に対するゴミの沈着等を防止できる。従って、スクリーン３２の着脱に際して、スライドファスナ６２Ａのスライダ６５を軽く開閉操作することができるとともに、開閉にともなうファスナ損傷等を防止できる。
【００４０】
（７）  この実施形態においては、下枠部２５の開口縁に設けられた清掃ブラシ６６によりスクリーン３２が清掃される。このため、清掃ブラシ６６によって清掃された後の水がスクリーン３２上を落下することがなく、スクリーン３２の汚れを遅らせることができる。
【００４１】
（第２実施形態）
次に、この発明を具体化した散水スクリーン装置の第２実施形態を、前記第１実施形態と異なる部分を中心に説明する。
【００４２】
この第２実施形態においては、図７（ａ）（ｂ）に示すように、スクリーン３２の帯状体６１の両端縁間を連結するためのファスナ６２が面ファスナ６２Ｂにより構成されている。この面ファスナ６２Ｂは、帯状体６１の一端縁に設けられた帯状の第１ファスナ片７１と、その第１ファスナ片７１に係脱可能に対応するように、帯状体６１の他端縁に設けられた帯状の第２ファスナ片７２とを備えている。そして、両ファスナ片７１，７２の係合によって帯状体６１の両端縁が連結されることにより、スクリーン３２が全体として環状をなすように構成されている。なお、図７（ｂ）は、構成を明瞭にするために、第１，第２ファスナ片７１，７２を厚く、模式的に描いたが、実際には、無視できる程度の厚さである。
【００４３】
従って、この第２実施形態においては、以下の効果がある。
（８）  第２実施形態においては、前記第１実施形態に記載の効果とほぼ同様の効果を得ることができる。また、この第２実施形態においては、ファスナ６２が面ファスナ６２Ｂにより構成されているため、構造が簡単であるとともに、面ファスナ６２Ｂの開閉作業，すなわち、スクリーン３２の着脱を容易に行うことができる。
【００４４】
（第３実施形態）
次に、この発明を具体化した散水スクリーン装置の第３実施形態を、前記第１実施形態と異なる部分を中心に説明する。
【００４５】
この第３実施形態においては、図８に示すように、一対の回転軸３０，３１が垂直軸線を中心に回転可能に配置され、それらの回転軸３０，３１間にスクリーン３２が横方向へ周回するように張設されている。そして、前記第１実施形態の場合と同様に、スクリーン３２が１枚の帯状体６１により構成され、その帯状体６１の両端縁がスライドファスナ６２Ａからなるファスナ６２によって連結されることにより、スクリーン３２が環状をなすように構成されている。前記ファスナ６２のスライダ６５は、ファスナ６２を閉じた状態において下端側に配置される。従って、ファスナ６２が自然に開放されるような事態を回避できる。なお、前記回転軸３０，３１は上下の枠部２４，２５の両端間に支持される。
【００４６】
従って、この第３実施形態においても、前記第１実施形態に記載の効果とほぼ同様な効果を得ることができる。
（変更例）
なお、この実施形態は、次のように変更して具体化することも可能である。
【００４７】
・  前記各実施形態において、３本以上の複数の回転軸を相互間隔をおいて平行に配置し、それらの回転軸に環状のスクリーン３２を周回可能に張設すること。
・  前記第３実施形態において、スクリーン３２の帯状体６１の両端縁間を連結するためのファスナ６２を、第２実施形態と同様な面ファスナ６２Ｂにより構成こと。
【００４８】
・  スクリーン３２として、２枚以上の帯状体をファスナを介して連結すること。
・  スクリーン３２として、網材，編み地等の他の構成のものを用いること。
・  清掃ブラシ６６を上枠部２４の開口縁に設けたり、上下の両枠部２４，２５の開口縁に設けたりすること。
【００４９】
（別の技術的思想）
さらに、上記実施形態により把握される請求項以外の技術的思想について、以下にそれらの効果とともに記載する。
【００５０】
（Ａ）  前記ファスナの務歯及びスライダを合成樹脂により構成したことを特徴とする請求項１〜３のうちのいずれか一項に記載の散水スクリーン装置。
この構成によれば、スクリーンを軽量に構成することができるとともに、スライダを円滑に開閉操作することができる。
【００５１】
（Ｂ）  前記ファスナを面ファスナにより構成したことを特徴とする請求項１〜３のうちのいずれか一項に記載の散水スクリーン装置。
この構成によれば、構造が簡単であるとともに、面ファスナの係脱操作により、スクリーンの着脱を容易に行うことができる。
【００５２】
（Ｃ）  前記スクリーンの周回部の下部に樋部材を設け、前記清掃手段をその樋部材に支持したことを特徴とする請求項３に記載の散水スクリーン装置。
このようにすれば、清掃手段によって落とされた水滴がスクリーン上を落下することがなく、スクリーンの汚れを少なくすることができる。
【符号の説明】
【００５３】
２１…フレーム、２２…左側支柱、２３…右側支柱、２４…上枠部、２５…下枠部、３０…上部回転軸、３１…下部回転軸、３２…スクリーン、３３…モーター、４４…散水装置、４５…散水部材、４６…ミスト噴射ノズル、６１…帯状体、６２…ファスナ、６２Ａ…スライドファスナ、６２Ｂ…面ファスナ、６３，６４…務歯、６５…スライダ、６６…清掃手段としての清掃ブラシ、７１…第１ファスナ片、７２…第２ファスナ片。
【図１】
0005465947.tif 000002
【図２】
0005465947.tif 000003
【図３】
0005465947.tif 000004
【図４】
0005465947.tif 000005
【図５】
0005465947.tif 000006
【図６】
0005465947.tif 000007
【図７】
0005465947.tif 000008
【図８】
0005465947.tif 000009